(57)【特許請求の範囲】
【請求項１】
RGB画像をRGBソースプロファイル、デスティネーションプロファイル及びモニタプロファイルを用いて変換し、変換後の画像をモニタに表示する第一のワークフローと、CMYK画像をCMYKソースプロファイル、前記デスティネーションプロファイル及びモニタプロファイルを用いて変換し、変換後の画像を前記モニタに表示する第二のワークフローとを実行する画像処理装置による画像処理方法であって、
前記デスティネーションプロファイル調整に用いる数値を受け付け、
前記第一のワークフローにより前記デスティネーションプロファイル調整に用いる数値により調整されたデスティネーションプロファイルを用いて変換された変換後の画像と、前記第二のワークフローにより前記デスティネーションプロファイル調整に用いる数値により調整されたデスティネーションプロファイルを用いて変換された変換後の画像とをそれぞれ表示させ、
前記第一のワークフローと第二のワークフローにおいて前記調整後のデスティネーションプロファイルを用いることを登録することを特徴とする画像処理方法。
【請求項２】
前記第一のワークフローにより前記デスティネーションプロファイル調整に用いる数値により調整されたデスティネーションプロファイルを用いて変換された変換後の画像と、前記第二のワークフローにより前記デスティネーションプロファイル調整に用いる数値により調整されたデスティネーションプロファイルを用いて変換された変換後の画像は、切り替え表示もしくは、同時に表示されることを特徴とする請求項１項記載の画像処理方法。
【請求項３】
RGB画像をRGBソースプロファイル、デスティネーションプロファイル及びモニタプロファイルを用いて変換し、変換後の画像をモニタに表示する第一のワークフローと、CMYK画像をCMYKソースプロファイル、前記デスティネーションプロファイル及びモニタプロファイルを用いて変換し、変換後の画像を前記モニタに表示する第二のワークフローとを実行する画像処理装置であって、
前記デスティネーションプロファイル調整に用いる数値を受け付ける手段と、
前記第一のワークフローにより前記デスティネーションプロファイル調整に用いる数値により調整されたデスティネーションプロファイルを用いて変換された変換後の画像と、前記第二のワークフローにより前記デスティネーションプロファイル調整に用いる数値により調整されたデスティネーションプロファイルを用いて変換された変換後の画像とをそれぞれ表示させる手段と
を備え、
前記第一のワークフローと第二のワークフローにおいて前記調整後のデスティネーションプロファイルを用いることを登録することを特徴とする画像処理装置。
【請求項４】
前記第一のワークフローにより前記デスティネーションプロファイル調整に用いる数値により調整されたデスティネーションプロファイルを用いて変換された変換後の画像と、前記第二のワークフローにより前記デスティネーションプロファイル調整に用いる数値により調整されたデスティネーションプロファイルを用いて変換された変換後の画像は、切り替え表示もしくは、同時に表示されることを特徴とする請求項３項記載の画像処理装置。
【請求項５】
RGB画像をRGBソースプロファイル、デスティネーションプロファイル及びモニタプロファイルを用いて変換し、変換後の画像をモニタに表示する第一のワークフローと、CMYK画像をCMYKソースプロファイル、前記デスティネーションプロファイル及びモニタプロファイルを用いて変換し、変換後の画像を前記モニタに表示する第二のワークフローとを実行する画像処理方法をコンピュータに実行させるプログラムであって、前記画像処理方法は、
前記デスティネーションプロファイル調整に用いる数値を受け付け、
前記第一のワークフローにより前記デスティネーションプロファイル調整に用いる数値により調整されたデスティネーションプロファイルを用いて変換された変換後の画像と、前記第二のワークフローにより前記デスティネーションプロファイル調整に用いる数値により調整されたデスティネーションプロファイルを用いて変換された変換後の画像とをそれぞれ表示させ、
前記第一のワークフローと第二のワークフローにおいて前記調整後のデスティネーションプロファイルを用いることを登録することを特徴とするプログラム。
【請求項６】
前記画像処理方法は、前記第一のワークフローにより前記デスティネーションプロファイル調整に用いる数値により調整されたデスティネーションプロファイルを用いて変換された変換後の画像と、前記第二のワークフローにより前記デスティネーションプロファイル調整に用いる数値により調整されたデスティネーションプロファイルを用いて変換された変換後の画像は、切り替え表示もしくは、同時に表示されることを特徴とする請求項５項記載のプログラム。
【発明の詳細な説明】
【技術分野】
【０００１】
本発明は、画像処理方法、プログラム、及び画像処理装置に関する。
【背景技術】
【０００２】
従来から、例えばプリンタにおいてユーザの意図する色を再現するため、いわゆるカスタムデバイスプロファイルの作成が行われている。一般的に、このカスタムデバイスプロファイルは、高精度で目的に適したいわゆるジェネリックデバイスプロファイルに対してプロファイル調整処理が行なれ、作成される（特許文献１参照）。以下、デバイスプロファイルを単に「プロファイル」ということがある。そして、ジェネリックデバイスプロファイルを単に「ジェネリックプロファイル」という。
【０００３】
そして、１つのプロファイル調整処理においては、ユーザは、次の（１）〜（３）の手順を繰り返すことになる。（１）ジェネリックプロファイルを調整する。（２）調整されたジェネリックプロファイルを１つのプロファイル調整用画像に適用する。（３）得られた画像を例えばモニタに表示する。
【０００４】
【特許文献１】特開２００３−８７５８９号公報
【発明の開示】
【発明が解決しようとする課題】
【０００５】
その結果、得られたこのカスタムデバイスプロファイルは、この１つのプロファイル調整用画像の色再現に適したものになるが、任意の画像の色再現に最適とは言えない。
【０００６】
そこで、この１つのプロファイル調整用画像を含む複数のプロファイル調整用画像を用意し、用意された各プロファイル調整用画像に対して、上記（１）〜（３）の手順を繰り返すことが考えられる。
【０００７】
しかしながら、このようにしても、プロファイルが適用された画像を複数同時に観ることはできないから、ユーザの意図する色を再現できるカスタムデバイスプロファイルが得られたか否かを判断するのが困難であった。
【０００８】
そこで、本発明は、このような問題点を解決し、複数のプロファイル調整用の画像を実質的に比較しながら、プロファイル調整処理を行うことができる画像処理方法、プログラム、画像処理装置を提供することを目的とする。
【課題を解決するための手段】
【０００９】
本発明に係る画像処理装置は、RGB画像をRGBソースプロファイル、デスティネーションプロファイル及びモニタプロファイルを用いて変換し、変換後の画像をモニタに表示する第一のワークフローと、CMYK画像をCMYKソースプロファイル、前記デスティネーションプロファイル及びモニタプロファイルを用いて変換し、変換後の画像を前記モニタに表示する第二のワークフローとを実行する画像処理装置による画像処理方法であって、前記デスティネーションプロファイル調整に用いる数値を受け付け、前記第一のワークフローにより前記デスティネーションプロファイル調整に用いる数値により調整されたデスティネーションプロファイルを用いて変換された変換後の画像と、前記第二のワークフローにより前記デスティネーションプロファイル調整に用いる数値により調整されたデスティネーションプロファイルを用いて変換された変換後の画像とをそれぞれ表示させ、前記第一のワークフローと第二のワークフローにおいて前記調整後のデスティネーションプロファイルを用いることを登録することを特徴とする。
【発明の効果】
【００１０】
本発明によれば、上記のように構成したので、複数のプロファイル調整用画像を比較しながら、プロファイル調整処理を行うことができる。
【発明を実施するための最良の形態】
【００１１】
図１は本発明の一実施の形態を示す。これは、デバイスプロファイル調整装置の例である。
【００１２】
図１において、１はスキャナである。２は外部記憶装置であり、複数のプロファイル調整用画像を格納するためのものである。３はコンピュータであり、ＣＰＵ（central processing unit）３０１、ＲＡＭ（random access memory）３０２、ＲＯＭ（read only memory）３０３が、システムバスを介して相互に接続されている。ＲＯＭ３０３は、制御用プログラムが格納してある。ＣＰＵ３０１はＲＯＭに格納されている制御用プログラムに従って各部を制御するものである。ＲＡＭ３０２はＣＰＵ３０１の主メモリ及びワークエリア等として用いられる。
【００１３】
４はキーボード、５はマウスである。６はモニタであり、コンピュータ３における処理結果を表示するためのものである。７はプリンタである。
【００１４】
図２は、ワークフローを設定するためのユーザインターフェイスの一例を示す。このユーザインターフェイスは図１のモニタ６に表示される。図２において、３０１はＲＧＢソースプロファイルを入力するためのテキスト選択フィールドである。３０２はＣＭＹＫソースプロファイルを入力するためのテキスト選択フィールドである。３０３は「色分解する」を設定するためのチェックボックスである。３０４はモニタ用プロファイルを入力するためのテキスト選択フィールドである。３０５はＯＫボタンであり、設定されたワークフローを保存するために使用される。３０９は調整に供されるデスティネーションプロファイルを表示するためのフィールドである。
【００１５】
このユーザインターフェイスを使用すれば、３つの系のワークフローを設定することができる。第１の系のワークフローは、図３に示すようなワークフローである。このワークフローは、次のようにして設定される。まず、ユーザにより、テキスト選択フィールド３０１においてＲＧＢソースプロファイルが入力される。ついで、ユーザにより、チェックボックス３０３において「色分解する」がチェックされる。さらに、ユーザにより、テキスト選択フィールド３０４において、モニタ用プロファイルが入力される。最後に、ユーザにより、ＯＫボタン３０５が操作される。
【００１６】
第２の系のワークフローは、図４に示すようなワークフローである。このワークフローは、次のようにして設定される。まず、ユーザにより、テキスト選択フィールド３０１においてＲＧＢソースプロファイルが入力される。ついで、ユーザにより、テキスト選択フィールド３０４において、モニタ用プロファイルが入力される。最後に、ユーザにより、ＯＫボタン３０５が操作される。
【００１７】
第３の系のワークフローは、図５に示すようなワークフローである。このワークフローは、次のようにして設定される。まず、ユーザにより、テキスト選択フィールド３０２においてＣＭＹＫソースプロファイルが入力される。ついで、ユーザにより、テキスト選択フィールド３０４において、モニタ用プロファイルが入力される。最後に、ユーザにより、ＯＫボタン３０５が操作される。
【００１８】
次に、本デバイスプロファイル調整装置の動作を説明する。ここで、デスティネーションプロファイルは、プリンタ用プロファイルである。また、プリンタ用プロファイルの調整結果を観るための出力デバイスは、プリンタ７ではなく、モニタ６である。さらに、ユーザにより、上記の３つの系のワークフローのいずれかが設定されているものとする。
【００１９】
ユーザによりプロファイル調整処理が開始されると、プロファイル調整処理用の画面（図６）をモニタ６に表示する。ついで、ユーザにより、プルダウンメニュー１００１から「新たに画像を開く」が選択されると、外部記憶装置２の複数のプロファイル調整用画像をＲＡＭ３０２に格納する。
【００２０】
これら格納された複数のプロファイル調整用画像に対して、上記選択されたワークフローに従い、ワークフローで用いられるべきプロファイルを適用して色変換を行なう。色変換により得られた複数のプロファイル調整用画像は、ユーザが、画像切り換えタブ１１０１を選択することにより、モニタ６で、切り換えて表示されユーザは色変換後の複数のプロファイル調整用画像を観ることができるようになっている。例えば、画像切り換えタブ１１０１を選択することにより、例えば図６の画像から図７の画像に切り換えることができる。（図３、図４のＲＧＢ画像の変換後の画像でも図５のＣＭＹＫ画像の変換後の画像も見ることができる。）ユーザは、モニタ６に表示された画像を観て、色変換（プロファイル調整）に必要な数値を入力するか否かを判断することになる。
【００２１】
色変換（プロファイル調整）に必要な数値を入力するには、ユーザは、マウス５によりボタン１００２をクリックし、プロファイル調整用の画面（図８）をモニタ６に表示する。ユーザは、マウス５を操作して、ボタン８０１をクリックし、シアン、マゼンタ、イエロー、ブラックについて、色変換に必要な数値を入力することができる。図８の例では、表示された画像において、マゼンタについて＋１、ブラックについて＋３であるとした場合に、色変換のため、マゼンタについて−１、ブラックについて−３と入力されることになる。なお、調整用の操作画面（ユーザインターフェイス）はシアン、マゼンタ、イエロー、ブラックの色成分毎の調整に限定されるものではなく、ＲＧＢの色成分ごとの調整、Ｌ＊ａ＊ｂ＊の成分ごとの調整等他の調整項目に沿ったものであってもよい。
【００２２】
そして、ユーザがマウス５を操作して、ボタン８０２をクリックすると、これら複数のプロファイル調整用画像に対して、上記選択されたワークフローに沿ったプロファイルを用いて色変換を行う。デスティネーションプロファイルについては、調整後のデスティネーションプロファイルを用いて色変換が行なわれる。
【００２３】
得られた複数のプロファイル調整用画像は、ユーザが、画像切り換えタブ１１０１を選択することにより、モニタ６で、切り換えて観ることができる。
【００２４】
その後、ユーザは、ボタン１００２とボタン８０２とを交互に操作し、かつ画像切り換えタブ１１０１を選択することにより、調整されたデスティネーションプロファイルが適用された後の複数のプロファイル調整用の画像を観ることができる。そして、図６の「ワークフロー設定」を指示することで、ユーザは、調整後のプロファイルを複数の画像の色変換に使用して、その結果を確認した後、プロファイル調整用画面で設定されている設定値を保存する。この際、複数のプロファイル調整用画像に対して、それぞれ図３、図４、図５の各プロファイルを適用することならびに、デスティネーションプロファイルについては調整後を用いることが保存される。言い換えると、「ワークフロー設定」を指示することで、複数のプロファイル調整用画像それぞれについてどのプロファイル（調整後のプロファイルを含む）を用いて色変換を行うかが「ワークフロー」として保存される。
【００２５】
このように、デスティネーションプロファイルを調整する際に、複数の画像について実質的に同時に確認作業を行うことができる。
【００２６】
また、モニタのスクリーンに複数の画像を同時に表示することができることは当然のことである。この場合、画像のサイズが小さくなり、画像に対する視認性が低下することになる。
【００２７】
当然、デスティネーションプロファイルが適用された後の複数のプロファイル調整用の画像を、実際にプリントして確かめることもできる。
【００２８】
以上、種々の実施形態体について説明したが、本発明は上記実施形態を実現する為の装置及び方法のみに限定されるものではない。上記システム又は装置内のコンピュータ（ＣＰＵ又はＭＰＵ）に、上記実施形態を実現する為のソフトウエアのプログラムコードを供給することもできる。そのようにして、このプログラムコードに従って上記システムあるいは装置のコンピュータが上記各種デバイスを動作させることにより上記実施形態を実現する場合も本発明の範疇に含まれる。
【００２９】
またこの場合、ソフトウエアのプログラムコード自体が上記実施形態の機能を実現することになる。この場合、そのプログラムコード自体、及びそのプログラムコードをコンピュータに供給する為の手段、具体的には上記プログラムコードを格納した記憶媒体は本発明の範疇に含まれる。
【００３０】
この様なプログラムコードを格納する記憶媒体としては、例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。
【００３１】
また、上記コンピュータが、供給されたプログラムコードのみに従って各種デバイスを制御することにより、上記実施形態の機能が実現される場合かかるプログラムコードは本発明の範疇に含まれる。またこれだけではなく、上記プログラムコードがコンピュータ上で稼働しているＯＳ(オペレーティングシステム)、あるいは他のアプリケーションソフト等と共同して上記実施形態が実現される場合にもかかるプログラムコードは本発明の範疇に含まれる。
【００３２】
更に、この供給されたプログラムコードは、コンピュータの機能拡張ボードやコンピュータに接続された機能拡張ユニットに備わるメモリに格納される。その後、そのプログラムコードの指示に基づいてその機能拡張ボードや機能格納ユニットに備わるCPU等が実際の処理の一部又は全部を行い、その処理によって上記実施形態が実現される場合も本発明の範疇に含まれる。
【００３３】
また、上述した種々の特徴点の少なくとも１つを含む構成であれば本発明の範疇に含まれる。
【図面の簡単な説明】
【００３４】
【図１】本発明の一実施の形態を示すブロック図である。
【図２】ワークフローを設定するためのユーザインターフェイスの一例を示す図である。
【図３】ワークフローを示す図である。
【図４】ワークフローを示す図である。
【図５】ワークフローを示す図である。
【図６】プロファイル調整処理用の画面の一例を示す図である。
【図７】切り換えた画像の一例を示す図である。
【図８】プロファイル調整用のユーザインターフェイスの一例を示す図である。
【符号の説明】
【００３５】
１  スキャナ
２  外部記憶装置
３  コンピュータ
４  キーボード
５  マウス
６  モニタ
７  プリンタ
３０１  ＣＰＵ
３０２  ＲＡＭ
３０３  ＲＯＭ
【図１】
0004732142.tif 000002
【図２】
0004732142.tif 000003
【図３】
0004732142.tif 000004
【図４】
0004732142.tif 000005
【図５】
0004732142.tif 000006
【図６】
0004732142.tif 000007
【図７】
0004732142.tif 000008
【図８】
0004732142.tif 000009